(57)【要約】【課題】趣向に富んだ光を出力することのできる浴槽用照明器具を提供すること。【解決手段】複色の光色を出力する光源部１と、光源部１を発光させる制御回路５と、光源部１からの光を透過させる透光部１１ａを備え光源部１及び光源部１を発光させる制御回路５を収納して浴槽１２内で浮遊させる箱体１１とを有して構成されている。そして、箱体１１の振動を検知する振動センサーを設け、制御回路５は、振動センサーの出力により、光源部１からの光色を変化させる。箱体１１は、光源部１及び光源部１を発光させる制御回路５を収納するもので、プラスチック材料を用いて底面が略球面状である略中空円錐形状に成型されるものである。箱体１１は、光源部１からの光を透過させる透光部１１ａと、箱体下部１１ｂが開閉自在の構造となっており、箱体下部１１ｂの外面には、箱体１１を支持する支持部１１ｃが所定の間隔を空けて３個配設されている。【選択図】        図１
2004281186.tif 000002
【特許請求の範囲】
【請求項１】
複色の光色を出力する光源部と、光源部を発光させる制御回路と、光源部からの光を透過させる透光部を備え光源部及び制御回路を収納して浴槽内で浮遊させる箱体と、からなる浴槽用照明器具において、前記箱体内に箱体の振動を検知する振動センサーを設け、前記制御回路は、振動センサーの出力により、光源部からの光色を変化させるものであることを特徴とする浴槽用照明器具。
【請求項２】
前記制御回路は、所定の光色変化パターンを繰り返すように光源部を制御するものであることを特徴とする請求項１記載の浴槽用照明器具。
【請求項３】
水温センサを備え、前記制御回路は、水温センサの出力によっても、光源部が出力する光色又は光強度を変化させるものであることを特徴とする請求項１又は請求項２記載の浴槽用照明器具。
【請求項４】
水位センサ及びブザーを備え、前記制御回路は、水位が所定の水位を超えた場合に、ブザーを鳴らすものであることを特徴とする請求項１乃至請求項３記載の浴槽用照明器具。
【発明の詳細な説明】
【０００１】
【発明の属する技術分野】
本発明は、浴槽用照明器具に関するものである。
【０００２】
【従来の技術】
この種の照明器具の従来例として、本出願人は、特許２８１６００９号公報に示すものを提案している。このものは、浴槽本体のフランジに浴槽本体内に向けて滝のように吐水を行う吐水口を設け、浴室外に配置された光源ボックスより導出された光ファイバーケーブルの先端を上記吐水口に臨ませ、浴室の天井パネルの上に光源ボックスを設置し、光源ボックスから導出した光ファイバーケーブルの先端部を浴室内の浴槽本体に設けた吐水口の下方に配置し、光源ボックスに光ファイバーケーブルの先端から発光する色を複数色に変える手段を設けてなるものである。これにより、光ファイバーケーブルの先端から発光する色を複数色に変えて吐水口付近の雰囲気を変えるようにして照明できる。
【０００３】
また、この種の照明器具の別の従来例として、特開２００２−２３７２０１号公報に示されるものがある。このものは、透光性を有するインナーケーシング内にライトと該ライトを発光させるバッテリーとを有するライトユニットと、該ライトユニットを内側に配置する、透光性を有するアウターケーシングと、前記インナーケーシングと前記アウターケーシング間の空間であって、底部に開口部を有し、水位を調節可能な浮遊タンクと、を有している。そしてさらに、浮遊タンクの傾きや時間で光量などを変化させるなどの付加的な調整装置を設けている。
【０００４】
【特許文献１】
特許２８１６００９号公報
【０００５】
【特許文献２】
特開２００２−２３７２０１号公報
【０００６】
【発明が解決しようとする課題】
上記従来例の前者においては、光ファイバーケーブルの先端から発光する色を複数色に変えて吐水口付近の雰囲気を変えることができるが、吐水口付近しか光を照射できない。
【０００７】
また、上記従来例の後者においては、ライトユニットの周囲に位置する浮遊タンク内の水面により、より趣向に富んだ発光を実現することができるが、より一層趣向に富んだ光を出力することが求められる。
【０００８】
本発明は、かかる事由に鑑みてなしたものであり、その目的とするところは、浴槽に浮遊させて用いる浴槽用照明器具において、より一層趣向に富んだ光を出力することのできる浴槽用照明器具を提供することである。
【０００９】
【課題を解決するための手段】
請求項１に係る発明は、複色の光色を出力する光源部と、光源部を発光させる制御回路と、光源部からの光を透過させる透光部を備え光源部及び制御回路を収納して浴槽内で浮遊させる箱体と、からなる浴槽用照明器具において、前記箱体内に箱体の振動を検知する振動センサーを設け、前記制御回路は、振動センサーの出力により、光源部からの光色を変化させるものであることを特徴とする。
【００１０】
請求項２に係る発明は、請求項１記載の発明において、前記制御回路は、所定の光色変化パターンを繰り返すように光源部を制御するものであることを特徴とする。
【００１１】
請求項３に係る発明は、請求項１又は請求項２記載の発明において、水温センサを備え、前記制御回路は、水温センサの出力によっても、光源部が出力する光色又は光強度を変化させるものであることを特徴とする。
【００１２】
請求項４に係る発明は、請求項１乃至請求項３記載の発明において、水位センサ及びブザーを備え、前記制御回路は、水位が所定の水位を超えた場合に、ブザーを鳴らすものであることを特徴とする。
【００１３】
【発明の実施の形態】
（第１の実施形態）
第１の実施形態を、図１〜図１２に基づいて説明する。図１は本実施形態の浴槽用照明器具１００を示す図である。図２は、制御回路５及び周辺の構成を示す図である。図３は、光色変化パターン▲１▼を示す図である。図４は、光色変化パターン▲２▼を示す図である。図５は、光色変化パターン▲３▼を示す図である。図６は、本実施形態の第１の動作例を示す図である。図７は、本実施形態の第２の動作例を示す図である。図８は、本実施形態の第３の動作例を示す図である。図９は、本実施形態の第４の動作例を示す図である。図１０は、本実施形態の第５の動作例を示す図である。図１１は、本実施形態の第６の動作例を示す図である。図１２は、本実施形態の第７の動作例を示す図である。
【００１４】
本実施形態の浴槽用照明器具１００は、図１に示すように複色の光色を出力する光源部１と、光源部１を発光させる制御回路５と、光源部１からの光を透過させる透光部１１ａを備え光源部１及び制御回路５を収納して浴槽１２内で浮遊させる箱体１１とを有して構成されている。
【００１５】
光源部１は、例えば図２に示す、赤色発光ダイオード２、青色発光ダイオード３、緑色発光ダイオード４で構成される。これらの発光ダイオードは、砲弾形状の樹脂内部にＰＮ接合部を有するもので、後述する制御回路５に接続されている。
【００１６】
制御回路５は、光源部１の発光を制御するもので、光源部１、箱体１１内に設けた電源６及び電源スイッチＳＷ１、光色の変化パターンを切り替えるパターン切替ボタンＢ１、光の強度又は光色の変化を調整する調整ボタンＢ２に接続されている。また、制御回路５は、内部に定電圧電源７、ＣＰＵ８、振動センサ９、抵抗Ｒ１〜Ｒ３及びトランジスタＴｒ１〜Ｔｒ３を備えている。定電圧電源７の入力端子は、制御回路５の外部に設けた電源６のプラス極に接続されている。定電圧電源７の出力端子は、赤色発光ダイオード２、青色発光ダイオード３、緑色発光ダイオード４のアノード及びＣＰＵ８に接続されている。青色発光ダイオード３のカソードは、トランジスタＴｒ１のコレクタに接続され、トランジスタＴｒ１のエミッタは電源６のマイナス極に接続され、トランジスタＴｒ１のベースは、抵抗Ｒ１を介してＣＰＵ８に接続されている。また、緑色発光ダイオード４のカソードは、トランジスタＴｒ２のコレクタに接続され、トランジスタＴｒ２のエミッタは電源６のマイナス極に接続され、トランジスタＴｒ２のベースは、抵抗Ｒ２を介してＣＰＵ８に接続されている。そしてまた、赤色発光ダイオード２のカソードは、トランジスタＴｒ３のコレクタに接続され、トランジスタＴｒ３のエミッタは電源６のマイナス極に接続され、トランジスタＴｒ３のベースは、抵抗Ｒ３を介してＣＰＵ８に接続されている。
【００１７】
ＣＰＵ８は、内部に各発光ダイオード２〜４の光色変化パターンを記憶し、パターン切替ボタンＢ１、調整ボタンＢ２の操作及び振動センサ１０の出力に基づいて、光源部１の発光を制御するものであり、ＣＰＵ８の入力端子には、定電圧電源７、スイッチＳＷ１、パターン切替ボタンＢ１、調整ボタンＢ２、振動センサ１０が接続され、出力端子には、抵抗Ｒ１〜Ｒ３が接続されている。振動センサ１０は、箱体１１の振動を検出するもので、例えばセンサ内部に水銀及び２つの電極を備え、振動により水銀が２つの電極間をショートするかしないかで振動を検出する水銀スイッチを用いる。以上の制御回路５及び光源部１は、図１に示す箱体１１に収納される。
【００１８】
箱体１１は、図１に示すように、光源部１及び制御回路５を収納するもので、プラスチック材料を用いて底面が略半球面状である略中空円錐形状に成型されるものである。また、箱体１１は、光源部１からの光を透過させる透光部１１ａと、箱体下部１１ｂが開閉自在の構造となっており、箱体下部１１ｂの外面には、水のない状態で載置可能となるよう箱体１１を支持する支持部１１ｃが所定の間隔を空けて３個配設されている。また、箱体１１の底には、浴槽用照明器具１００の浮遊を安定化させるための鉄板等からなる金属板１３を設けている。そして、透光部１１ａと、箱体下部１１ｂの結合部分には、光源部１である各発光ダイオード２〜４が、箱体１１の頂部方向を向くように設置されている。さらに、箱体下部１１ｂの表面には、電源スイッチＳＷ１、パターン切替ボタンＢ１、調整ボタンＢ２が設置されている。
【００１９】
次に、本実施形態の動作について説明する。本実施形態の浴槽用照明器具１００は、図１に示すように、浴槽１２内に水を張った状態で、浴槽１２内に浮かべて使用される。前述のように、箱体下部１１ｂには、金属板１３が設置されているため、箱体１１は、直立に近い状態で箱体１１の透光部１２の大部分を水面１４上に出して浮かぶ。そして、水面１４に波が立つと、波の力を受け、箱体１１は図１の矢印のように振動する。
【００２０】
図２において、箱体１１が振動すると、箱体１１内に収納された振動センサ１０は、その振動を検出し、ＣＰＵ８に出力する。そして、ＣＰＵ８は、振動センサ１０の出力に対応した電圧を各抵抗Ｒ１〜Ｒ３に印加する。これにより、各トランジスタＴｒ１〜Ｔｒ３にはＣＰＵ８が出力する電圧に対応する電流が流れて、各発光ダイオード２〜４に電流が流れ、各発光ダイオード２〜４は発光する。ここで、ＣＰＵ８は、光色変化パターン▲１▼〜▲３▼を記憶している。この光色変化パターンは、赤色発光ダイオード２、青色発光ダイオード３、緑色発光ダイオード４の各発光を組み合わせることにより実現される。例えば、赤色発光ダイオード２、青色発光ダイオード３、緑色発光ダイオード４の各発光を組み合わせることにより、図３に示す赤、橙、黄、緑、水色、青、紫の光色を順番に約３０秒かけて循環させるパターン（光色変化パターン▲１▼）、図４に示す青、青紫、青、青紫の同色系の光色を循環させるパターン（光色変化パターン▲２▼）、図５に示す青、白、青の光色を循環させるパターン（光色変化パターン▲３▼）、がある。ここで、各色の切り換わりは、次第に色を変化させるようにしている。すなわち、フェードをかけるようにしているのである。
【００２１】
そして、図６に示すように、電源スイッチＳＷ１をＯＮして動作を開始（ＳＴＡＲＴ）させると、各発光ダイオード２〜４は、光色変化パターン▲１▼を繰り返すように発光する。そして、パターン切替ボタンＢ１を押すことにより、光色変化パターン▲１▼から光色変化パターン▲２▼に切り換わる。その後、各発光ダイオード２〜４は、光色変化パターン▲２▼を繰り返すように発光し、パターン切替ボタンＢ１を押すことにより、光色変化パターン▲３▼に切り替わる。そして、各発光ダイオード２〜４は、光色変化パターン▲３▼を繰り返すように発光し、さらにパターン切替ボタンＢ１を押すことにより、消灯（ＥＸＩＴ）する。
【００２２】
また、ＣＰＵ８は、振動センサ９の出力に基づいて、箱体１１の振動の強弱を把握する。これにより、ＣＰＵ８は、各発光ダイオード２〜４に対応する抵抗Ｒ１〜Ｒ３に印加する電圧値を調整し、振動が大きい場合には、各発光ダイオード２〜４に比較的大きな電流を通電させることにより、光強度の強い光を出力させる。また、振動が小さい場合には、各発光ダイオード２〜４に比較的小さい電流を通電させることにより、光強度の弱い光を出力させる。
【００２３】
以上のように、複色の光色を出力する光源部１と、光源部１を発光させる制御回路５と、光源部１からの光を透過させる透光部１２を備え光源部１及び光源部１を発光させる制御回路５を収納して浴槽内で浮遊させる箱体１１と、からなる浴槽用照明器具１００において、箱体１１内に箱体１１の振動を検知する振動センサー１０を設け、制御回路５は、振動センサー１０の出力により、光源部１からの光色又は光強度を変化させるようにしたので、浴槽の水面の振動により、光源の色又は光強度が変化し、趣向に富んだ光を出力することができる。
【００２４】
なお、本実施形態においては、図６に示す動作を示したが、図７に示すように光色を変化させずに、光色を固定するパターンを加えてもよい。すなわち、電源スイッチＳＷ１をＯＮした後、光色変化パターン▲１▼、固定色、光色変化パターン▲２▼、光色変化パターン▲３▼の順で光色を変化させるのである。さらにまた、図８に示すように、各色の切り換り時において、次第に色を変化させるのではなく、瞬時に色を切り替えるパターンを加えてもよい。すなわち、電源スイッチＳＷ１をＯＮした後、光色変化パターン▲１▼、光色変化パターン▲１▼（各色を瞬時に変化）、光色変化パターン▲２▼、光色変化パターン▲３▼の順で動作させるのである。
【００２５】
また図９に示すように、光色変化パターン▲１▼で光色を変化させた後、パターン切替ボタンＢ１を連続的に押す回数によって、光色変化パターンを変えるようにしてもよい。すなわち、電源スイッチＳＷ１をＯＮし、光色変化パターン▲１▼で光色を変化させた後、パターン切替ボタンＢ１を１回押した場合には、光色変化パターン▲２▼に移行し、その後動作を終了する。また、電源スイッチＳＷ１をＯＮし、光色変化パターン▲１▼で光色を変化させた後、パターン切替ボタンＢ１を２回連続して押した場合には、光色変化パターン▲３▼に移行し、その後動作を終了するのである。
【００２６】
また、本実施形態においては、パターン切替ボタンＢ１を一つのみ設けたが、パターン切替ボタンＢ１を複数個設けた場合には、図１０〜図１２に示す色変化のパターンを選択することができる。すなわちパターン切替ボタンＢ１を３個設けた場合には、図１０に示すように電源スイッチＳＷ１をＯＮした後、３個のパターン切替ボタンのうちいずれかを選択することにより、光色変化パターン▲１▼、光色変化パターン▲２▼、光色変化パターン▲３▼を選んで光色を出力させるのである。また、パターン切替ボタンＢ１を４個設けた場合には、図１１に示すように電源スイッチＳＷ１をＯＮした後、４個のパターン切替ボタンのうちいずれかを選択することにより、光色変化パターン▲１▼、光色変化パターン▲２▼、光色変化パターン▲３▼、色瞬時切り替え、のいずれかを選んで光色を出力させるのである。そしてまた、パターン切替ボタンＢ１を５個設けた場合には、図６に示すように電源スイッチＳＷ１をＯＮした後、パターン切替ボタンを選択することにより、光色変化パターン▲１▼、光色変化パターン▲２▼、光色変化パターン▲３▼、色瞬時切り替え、固定色、のいずれかを選択することにより光色を出力させるのである。
（第２の実施形態）
つぎに第２の実施形態を図１３に基づいて説明する。図１３は、第２の実施形態の制御回路５及び周辺の構成を示す図である。本実施形態は、光源部１及び制御回路５の回路構成が、第１の実施形態と異なるが、他は同じである。
【００２７】
すなわち、第１の実施形態では、光色を切り替えるために、赤色発光ダイオード２、青色発光ダイオード３、緑色発光ダイオード４を設けたが、本実施形態では、白熱電球２２及びカラーフィルター板２１を設けている。具体的には、白熱電球２２の光の出力方向に、複数色のフィルタを有し、モータ２０の駆動により回転するカラーフィルター板２１を設置している。カラーフィルター板２１の中心部には、駆動軸を介してモータ２０が接続されている。また、制御回路５は、内部に定電圧電源７、ＣＰＵ８、振動センサ９、を備えている。定電圧電源７の入力端子は、制御回路５の外部に設けた電源６に接続されている。定電圧電源７の出力端子は、モータ２０、白熱電球２２及びＣＰＵ８に接続されている。その他の接続は、第１の実施形態と同じである。
【００２８】
以上の構成において、電源スイッチＳＷ１の投入後、定電圧電源７は、電力を白熱電球２２に供給し、白熱電球２２を発光させる。そして、パターン切替ボタンＢ１及び振動センサ９の出力に応じて、モータ２０を駆動させ、カラーフィルター板２１を回転させる。白熱電球２２からの白色光は、白熱電球２２の光の出力方向に位置するフィルタの色に変換されて外部に出力される。そして、その他の動作は第１の実施形態と同じである。
【００２９】
これにより、第１の実施形態浴槽と同様に、水面１４の振動により、光色が変化するので、趣向に富んだ光を出力することができる。
【００３０】
なお、以上の実施形態においては、箱体１１の箱体下部１１ｂ表面に電源スイッチＳＷ１、パターン切替ボタンＢ１、調整ボタンＢ２を設けたが、図１４に示すように箱体１１の底部に防水加工を施した底孔１１ｄを設け、箱体１１内部に設けた電源スイッチＳＷ１と浴槽１２の底に位置させる錘２３とを紐２４で繋ぐようにしてもよい。この構成により、紐２４を水中で浴槽１２の底方向に引っ張ることにより、電源スイッチＳＷ１をＯＮ／ＯＦＦすることができる。また、紐２４の長さを調節することにより、任意の水位で、浴槽用照明器具１００の動作、停止を行うことができる。
【００３１】
さらに、水位センサ及びブザー（図示はしない）を、箱体１１の表面に設けてもよい。ここで、水位の設定は、紐２４の長さで調節するようにする。以上の構成で、浴槽１２に水を張り、水位が紐２４の長さを超える場合には、水位センサが信号を出力し、これによりブザーを鳴らすことにより、浴槽１２の水位が、設定した水位を超えたことを知らせる。
【００３２】
また、以上の実施形態においては、制御回路５内に振動センサ１０を設けたが、振動センサ１０に加えて、水温センサ（図示はしない）を設けてもよい。水温センサとしては、たとえば温度変化に対して抵抗値が変化するサーミスタセンサを用いる。水温センサが水温を検出すると、ＣＰＵ８は、その水温の高低を判別し、水温の低い場合には、たとえば、青系統で光色を変化させる。また、水温が高い場合には、赤系統で光色を変化させる。また、光色を変化させず固定し、水温が低い場合には光強度を弱くし、水温が高い場合には光強度を強くするようにしてもよい。
【００３３】
【発明の効果】
請求項１に係る発明は、複色の光色を出力する光源部と、光源部を発光させる制御回路と、光源部からの光を透過させる透光部を備え光源部及び制御回路を収納して浴槽内で浮遊させる箱体と、からなる浴槽用照明器具において、前記箱体内に箱体の振動を検知する振動センサーを設け、前記制御回路は、振動センサーの出力により、光源部からの光色を変化させるものであるようにしたので、浴槽の水面の振動により、光色が変化するので、趣向に富んだ光を出力することができる。
【００３４】
請求項２に係る発明は、請求項１記載の発明において、前記制御回路は、所定の光色変化パターンを繰り返すように光源部を制御するものであるようにしたので、使用者の好みの色系統で光色を循環させながら趣向に富んだ光を出力することができる。
【００３５】
請求項３に係る発明は、請求項１又は請求項２記載の発明において、水温センサを備え、前記制御回路は、水温センサの出力によっても、光源部が出力する光色又は光強度を変化させるものであるようにしたので、請求項１の効果に加え、使用者が浴槽内の水の温度を視覚を通じて把握することができる。
【００３６】
請求項４に係る発明は、請求項１乃至請求項３記載の発明において、水位センサ及びブザーを備え、前記制御回路は、水位が所定の水位を超えた場合に、ブザーを鳴らすようにしたので、使用者が浴槽内の水位を把握することができる。
【図面の簡単な説明】
【図１】第１の実施形態の浴槽用照明器具１００を示す図である。
【図２】第１の実施形態の制御回路５及び周辺の構成を示す図である。
【図３】第１の実施形態の光色変化パターン▲１▼を示す図である。
【図４】第１の実施形態の光色変化パターン▲２▼を示す図である。
【図５】第１の実施形態の光色変化パターン▲３▼を示す図である。
【図６】第１の実施形態の第１の動作例を示す図である。
【図７】第１の実施形態の第２の動作例を示す図である。
【図８】第１の実施形態の第３の動作例を示す図である。
【図９】第１の実施形態の第４の動作例を示す図である。
【図１０】第１の実施形態の第５の動作例を示す図である。
【図１１】第１の実施形態の第６の動作例を示す図である。
【図１２】第１の実施形態の第７の動作例を示す図である。
【図１３】第２の実施形態の制御回路５及び周辺の構成を示す図である。
【図１４】第１の実施形態の浴槽用照明器具１００の別例を示す図である。
【符号の説明】
１  光源部
５  制御回路
６  電源
ＳＷ１  電源スイッチ
Ｂ１  パターン切替ボタン
Ｂ２  調整ボタン
７  定電圧電源
８  ＣＰＵ
９  振動センサ
【図１】
2004281186.tif 000003
【図２】
2004281186.tif 000004
【図３】
2004281186.tif 000005
【図４】
2004281186.tif 000006
【図５】
2004281186.tif 000007
【図６】
2004281186.tif 000008
【図７】
2004281186.tif 000009
【図８】
2004281186.tif 000010
【図９】
2004281186.tif 000011
【図１０】
2004281186.tif 000012
【図１１】
2004281186.tif 000013
【図１２】
2004281186.tif 000014
【図１３】
2004281186.tif 000015
【図１４】
2004281186.tif 000016